(57)【特許請求の範囲】
【請求項１】
携帯端末と通信接続可能であり画像形成手段及び画像読取手段のいずれか一方又は両方を備えてなる画像処理装置であって、
前記携帯端末において任意に行われる表示設定の内容を示す表示設定情報を前記携帯端末から受信する表示設定情報受信手段と、前記画像処理装置を制御するための操作画面を前記表示設定情報に適合した形態で前記携帯端末に表示するための操作画面情報を前記携帯端末に送信する操作画面情報送信手段と、を備え、
前記表示設定情報が、操作を補助するヘルプ情報の表示有無の設定とは異なる予め定められた機能の有効及び無効の設定に関するヘルプ設定情報を含むものであって、
前記画像処理装置が、前記操作画面における操作を補助する前記ヘルプ情報が記憶されたヘルプ情報記憶手段を備え、
前記操作画面情報送信手段が、前記ヘルプ設定情報に含まれる前記機能の設定が有効である場合に前記ヘルプ設定情報が前記ヘルプ情報の表示を行う旨を示していると特定して、前記ヘルプ情報を含む前記操作画面情報を送信し、前記機能の設定が無効である場合には前記ヘルプ設定情報が前記ヘルプ情報の表示を行わない旨を示していると特定して、前記ヘルプ情報を含まない前記操作画面情報を送信するものであることを特徴とする画像処理装置。
【請求項２】
前記表示設定情報が、言語の設定に関する言語設定情報、表示形式の設定に関する表示形式設定情報のいずれか一つ又は複数を含むものである請求項１に記載の画像処理装置。
【請求項３】
前記操作画面に表示される表示項目各々を複数種類の言語で表現した複数の表示項目情報が記憶された言語情報記憶手段を備えてなり、
前記表示設定情報が、前記言語設定情報を含むものであって、
前記操作画面情報送信手段が、前記言語設定情報が示す言語で表現された前記表示項目情報を含む前記操作画面情報を送信するものである請求項２に記載の画像処理装置。
【請求項４】
前記操作画面を複数種類の表示形式で構成した複数の表示形式情報が記憶された表示形式情報記憶手段を備えてなり、
前記表示設定情報が、前記表示形式設定情報を含むものであって、
前記操作画面情報送信手段が、前記表示形式設定情報が示す表示形式に対応する前記表示形式情報に従って構成された前記操作画面を前記携帯端末に表示させるための前記操作画面情報を送信するものである請求項２又は３のいずれかに記載の画像処理装置。
【請求項５】
前記機能が、選択項目の読み上げ機能である請求項１〜４のいずれかに記載の画像処理装置。
【請求項６】
前記表示設定情報及び前記操作画面情報はＸＭＬデータである請求項１〜５のいずれかに記載の画像処理装置。
【請求項７】
画像形成手段及び画像読取手段のいずれか一方又は両方を備えてなる画像処理装置と通信接続可能な携帯端末であって、
前記携帯端末において任意に行われる表示設定の内容を示す表示設定情報を前記画像処理装置に送信する表示設定情報送信手段と、前記画像処理装置を制御するための操作画面を前記表示設定情報に適合した形態で表示するための操作画面情報を前記画像処理装置から受信する操作画面情報受信手段と、前記操作画面情報に従って前記操作画面を表示する操作画面表示手段と、を備え、
前記表示設定情報が、操作を補助するヘルプ情報の表示有無の設定とは異なる予め定められた機能の有効及び無効の設定に関するヘルプ設定情報を含むものであって、
前記操作画面情報受信手段が、前記ヘルプ設定情報に含まれる前記機能の設定が有効である場合に前記操作画面における操作を補助する前記ヘルプ情報を含む前記操作画面情報を受信し、前記機能の設定が無効である場合には前記操作画面における操作を補助する前記ヘルプ情報を含まない前記操作画面情報を受信するものであることを特徴とする携帯端末。
【請求項８】
前記表示設定情報が、言語の設定に関する言語設定情報、表示形式の設定に関する表示形式設定情報のいずれか一つ又は複数を含むものである請求項７に記載の携帯端末。
【請求項９】
携帯端末と画像形成手段及び画像読取手段のいずれか一方又は両方を備えてなる画像処理装置とが通信接続可能である画像処理システムであって、
前記携帯端末が、前記携帯端末において任意に行われる表示設定の内容を示す表示設定情報を前記画像処理装置に送信する表示設定情報送信手段と、前記画像処理装置を制御するための操作画面を前記表示設定情報に適合した形態で表示するための操作画面情報を前記画像処理装置から受信する操作画面情報受信手段と、前記操作画面情報に従って前記操作画面を表示する操作画面表示手段と、を備えてなり、
前記画像処理装置が、前記携帯端末から前記表示設定情報を受信する表示設定情報受信手段と、前記表示設定情報に適合した前記操作画面情報を前記携帯端末に送信する操作画面情報送信手段と、を備え、
前記表示設定情報が、操作を補助するヘルプ情報の表示有無の設定とは異なる予め定められた機能の有効及び無効の設定に関するヘルプ設定情報を含むものであって、
前記画像処理装置が、前記操作画面における操作を補助する前記ヘルプ情報が記憶されたヘルプ情報記憶手段を備え、
前記操作画面情報送信手段が、前記ヘルプ設定情報に含まれる前記機能の設定が有効である場合に前記ヘルプ設定情報が前記ヘルプ情報の表示を行う旨を示していると特定して、前記ヘルプ情報を含む前記操作画面情報を送信し、前記機能の設定が無効である場合には前記ヘルプ設定情報が前記ヘルプ情報の表示を行わない旨を示していると特定して、前記ヘルプ情報を含まない前記操作画面情報を送信するものであることを特徴とする画像処理システム。
【請求項１０】
前記表示設定情報が、言語の設定に関する言語設定情報、表示形式の設定に関する表示形式設定情報のいずれか一つ又は複数を含むものである請求項９に記載の画像処理システム。
【発明の詳細な説明】
【技術分野】
【０００１】
本発明は、画像処理装置及び携帯端末が通信接続可能な画像処理システムに関し、特に、携帯端末から画像処理装置を操作するための技術に関するものである。
【背景技術】
【０００２】
従来から、プリンター又は複合機などの画像処理装置を遠隔制御する際はパーソナルコンピュータなどの情報処理装置が用いられる。一般に、情報処理装置が備える液晶ディスプレイなどの表示装置の画面サイズは携帯電話やＰＤＡなどの携帯端末に比べて大きく、情報処理装置では、その表示装置に表示される操作画面上で画像処理装置を制御するための操作が行われる。
一方、携帯端末に設けられる表示装置の画面サイズは小さいため、携帯端末から画像処理装置を操作することを考えた場合に、情報処理装置と同様の操作画面を携帯端末に表示させると、その操作画面が小さくなって見づらくなる。これに対し、例えば特許文献１には、携帯端末固有の機器情報に対応する画面サイズ等で画像形成装置の操作画面を表示させる構成が開示されている。具体的に、前記特許文献１には、携帯端末が備える表示装置の画面サイズに応じた表示形式で操作画面を表示させることが開示されている。
【先行技術文献】
【特許文献】
【０００３】
【特許文献１】特開２００６−１６５７８５号公報
【発明の概要】
【発明が解決しようとする課題】
【０００４】
しかしながら、前記特許文献１に係る技術は、携帯端末固有の機器情報に対応する画面サイズ等で操作画面を表示するものに過ぎず、携帯端末において任意に行われる表示設定に適合した操作画面が表示されるものではない。そのため、携帯端末を使用するユーザーがその携帯端末において任意に行った表示設定の内容を反映した形態で画像処理装置の操作画面を表示することはできなかった。
従って、本発明は前記事情に鑑みてなされたものであり、その目的とするところは、携帯端末において任意に行われる表示設定に適合した形態で前記携帯端末に表示される操作画面を用いて画像処理装置を制御することのできる画像処理システム、並びにこれに用いられる携帯端末及び画像処理装置を提供することにある。
【課題を解決するための手段】
【０００５】
前記目的を達成するために本発明は、携帯端末と通信接続可能であり画像形成手段及び画像読取手段のいずれか一方又は両方を備えてなる画像処理装置に適用されるものであって、前記携帯端末において任意に行われる表示設定の内容を示す表示設定情報を前記携帯端末から受信する表示設定情報受信手段と、前記画像処理装置を制御するための操作画面を前記表示設定情報に適合した形態で前記携帯端末に表示するための操作画面情報を前記携帯端末に送信する操作画面情報送信手段と、を備えてなることを特徴とする画像処理装置として構成される。ここに、前記表示設定情報は、言語の設定に関する言語設定情報、表示形式の設定に関する表示形式設定情報、操作を補助するヘルプ情報の表示有無の設定に関するヘルプ設定情報のいずれか一つ又は複数を含むものである。
本発明に係る前記画像処理装置によれば、ユーザーは自己が前記携帯端末において任意に行った表示設定に適合した形態で前記携帯端末に表示される前記画像処理装置の前記操作画面を用いて前記携帯端末から前記画像処理装置を制御することができる。
【０００６】
より具体的に、前記画像処理装置が、前記操作画面に表示される表示項目各々を複数種類の言語で表現した複数の表示項目情報が記憶された言語情報記憶手段を備えており、前記表示設定情報が、前記言語設定情報を含むものであることが考えられる。この場合、前記操作画面情報送信手段が、前記言語設定情報が示す言語で表現された前記表示項目情報を含む前記操作画面情報を送信するものであることが考えられる。これにより、ユーザーは、自己が前記携帯端末において任意に設定した言語で表現される前記表示項目各々を確認しながら前記画像処理装置の操作を行うことができる。
また、前記画像処理装置が、前記操作画面を複数種類の表示形式で構成した複数の表示形式情報が記憶された表示形式情報記憶手段を備えてなり、前記表示設定情報が、前記表示形式設定情報を含むものであることが考えられる。この場合、前記操作画面情報送信手段が、前記表示形式設定情報が示す表示形式に対応する前記表示形式情報に従って構成された前記操作画面を前記携帯端末に表示させるための前記操作画面情報を送信するものであることが考えられる。これにより、ユーザーは、自己が前記携帯端末において任意に設定した表示形式で構成された前記操作画面に従って前記画像処理装置の操作を行うことができる。
さらに、前記画像処理装置が、前記操作画面における操作を補助するヘルプ情報が記憶されたヘルプ情報記憶手段を備えてなり、前記表示設定情報が、前記ヘルプ設定情報を含むものであることが考えられる。この場合、前記操作画面情報送信手段が、前記ヘルプ設定情報が前記ヘルプ情報の表示を行う旨を示している場合は前記ヘルプ情報を含む前記操作画面情報を送信し、前記ヘルプ設定情報が前記ヘルプ情報の表示を行わない旨を示している場合は前記ヘルプ情報を含まない前記操作画面情報を送信するものであることが考えられる。これにより、ユーザーは、自己が前記携帯端末において任意に設定したヘルプ情報の表示有無が反映された前記操作画面に従って前記画像処理装置の操作を行うことができる。
なお、前記表示設定情報及び前記操作画面情報は例えばＸＭＬデータである。
【０００７】
また、本発明は、前記携帯端末の発明として捉えてもよい。即ち、本発明は、画像形成手段及び画像読取手段のいずれか一方又は両方を備えてなる画像処理装置と通信接続可能な携帯端末に適用されるものであって、前記携帯端末において任意に行われる表示設定の内容を示す表示設定情報を前記画像処理装置に送信する表示設定情報送信手段と、前記画像処理装置を制御するための操作画面を前記表示設定情報に適合した形態で表示するための操作画面情報を前記画像処理装置から受信する操作画面情報受信手段と、前記操作画面情報に従って前記操作画面を表示する操作画面表示手段と、を備えてなることを特徴とする携帯端末として構成される。ここに、前記表示設定情報は、言語の設定に関する言語設定情報、表示形式の設定に関する表示形式設定情報、操作を補助するヘルプ情報の表示有無の設定に関するヘルプ設定情報のいずれか一つ又は複数を含むものである。
本発明に係る前記携帯端末によれば、ユーザーは自己が前記携帯端末において任意に行った表示設定に適合した形態で前記携帯端末に表示される前記画像処理装置の前記操作画面を用いて前記携帯端末から前記画像処理装置を制御することができ、ユーザーごとに適した操作環境を実現することができる。
【０００８】
さらに、本発明は、前記画像処理装置及び前記携帯端末を備えてなる画像処理システムの発明として捉えてもよい。即ち、本発明は、携帯端末と画像形成手段及び画像読取手段のいずれか一方又は両方を備えてなる画像処理装置とが通信接続可能である画像処理システムに適用される。そして、前記携帯端末は、前記携帯端末において任意に行われる表示設定の内容を示す表示設定情報を前記画像処理装置に送信する表示設定情報送信手段と、前記画像処理装置を制御するための操作画面を前記表示設定情報に適合した形態で表示するための操作画面情報を前記画像処理装置から受信する操作画面情報受信手段と、前記操作画面情報に従って前記操作画面を表示する操作画面表示手段と、を備える。また、前記画像処理装置は、前記携帯端末から前記表示設定情報を受信する前記表示設定情報受信手段と、前記表示設定情報に適合した前記操作画面情報を前記携帯端末に送信する操作画面情報送信手段と、を備える。ここに、前記表示設定情報は、言語の設定に関する言語設定情報、表示形式の設定に関する表示形式設定情報、操作を補助するヘルプ情報の表示有無の設定に関するヘルプ設定情報のいずれか一つ又は複数を含むものである。
本発明に係る前記画像処理システムによれば、ユーザーは自己が前記携帯端末において任意に行った表示設定に適合した形態で前記携帯端末に表示される前記画像処理装置の前記操作画面を用いて前記携帯端末から前記画像処理装置を制御することができ、ユーザーごとに適した操作環境を実現することができる。
【発明の効果】
【０００９】
本発明によれば、ユーザーは自己が携帯端末において任意に行った表示設定に適合した形態で携帯端末に表示される画像処理装置の操作画面を用いて携帯端末から画像処理装置を制御することができる。
【図面の簡単な説明】
【００１０】
【図１】本発明の実施の形態に係る画像処理システムの概略構成を示す模式図。
【図２】本発明の実施の形態に係る携帯端末及び画像処理装置の概略構成を示すブロック図。
【図３】言語情報及び表示形式情報の一例を示す図。
【図４】画像処理システムで実行される操作画面表示処理の手順の一例を示すフローチャート。
【図５】表示設定情報の一例を示す図。
【図６】操作画面情報の一例を示す図。
【図７】携帯端末に表示される操作画面の一例を示す図。
【図８】携帯端末に表示される操作画面及び携帯端末から送信される操作情報の一例を示す図。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
＜画像処理システムＺ＞
まず、図１を参照しつつ、本発明の実施の形態に係る画像処理システムＺの概略構成について説明する。図１に示すように、前記画像処理システムＺは、Ｂｌｕｅｔｏｏｔｈ（登録商標）やＩＥＥＥの無線ＬＡＮ規格などの無線通信規格に従って通信接続可能な携帯端末Ｘ及び複合機Ｙを備えている。
ここに、前記携帯端末Ｘは、例えばスマートフォン、携帯電話、タブレット端末、ＰＤＡ等である。また、前記複合機Ｙは、画像形成処理を実行する画像形成手段及び画像読取処理を実行する画像読取手段を備えた本発明に係る画像処理装置の一例であって、例えば前記画像形成手段又は前記画像読取手段を備えるプリンター、ファクシミリ装置、スキャナーなども本発明に係る画像処理装置に該当する。
【００１３】
＜携帯端末Ｘ＞
次に、図２を参照しつつ、前記携帯端末Ｘの概略構成について説明する。
図２に示すように、前記携帯端末Ｘは、制御部１１、操作表示部１２、カメラ１３、データ記憶部１４、及び通信Ｉ／Ｆ１５などを備えている。
前記通信Ｉ／Ｆ１５は、通信モデム及びアンテナなどの通信機器を備えており、前記複合機Ｙなどの外部装置との間で、Ｂｌｕｅｔｏｏｔｈ（登録商標）やＩＥＥＥの無線ＬＡＮ規格などで規定された所定の通信プロトコルに従った通信処理を実行するためのインターフェースである。
前記制御部１１は、ＣＰＵ、ＲＯＭ及びＲＡＭなどを有している。前記制御部１１は、前記ＲＯＭに格納された制御プログラムに従った処理を前記ＣＰＵで実行することにより前記携帯端末Ｘを統括的に制御する。具体的に、前記制御部１１は、前記複合機Ｙを操作するための操作制御プログラムが予めインストールされることにより、後述の操作画面表示処理（図４参照）における各処理手順を実行する。なお、前記制御部１１はＡＳＩＣ又はＤＳＰなどの集積回路で構成されたものであってもよい。
前記操作表示部１２は、前記制御部１１からの制御指示に従って各種の情報を表示すると共に、ユーザー操作に応じた操作信号を前記制御部１１に入力するタッチパネルを有している。
前記カメラ１３は、前記操作表示部１２の操作に応じて前記制御部１１に制御されることにより写真を撮影する。なお、前記制御部１１は、前記カメラ１３で撮影された写真の画像データを前記データ記憶部１４に記憶させる。
【００１４】
前記データ記憶部１４は、ＨＤＤ又はフラッシュメモリー等の記憶手段であり、前記制御部１１によるデータの読み書きが可能である。特に、前記データ記憶部１４には、前記携帯端末Ｘにおいて任意に行われる表示設定の内容に関する表示設定情報が記憶される。具体的に、前記携帯端末Ｘにおいて、前記制御部１１は、ユーザーによる前記操作表示部１２の操作に応じて、前記操作表示部１２の表示に関する設定を行う設定処理を実行する。その後、前記制御部１１は、前記設定処理で任意に設定された表示設定の内容に関する前記表示設定情報を前記データ記憶部１４に記憶させる。
そして、前記制御部１１は、その後における前記操作表示部１２の表示を前記表示設定情報に従って制御する。具体的に、前記表示設定情報には、使用する言語の種別に関する言語設定情報、使用する表示形式の設定に関する表示形式設定情報、操作を補助するヘルプ情報の表示有無の設定に関するヘルプ設定情報が含まれる。なお、前記表示設定情報は、前記言語設定情報、前記表示形式設定情報、及び前記ヘルプ設定情報のいずれか一つ又は複数を含むものであればよい。また、前記表示形式設定情報は、文字サイズ、キーサイズ、画面レイアウトなどについて初期設定の内容を用いる通常モード、及び文字サイズ、キーサイズ、画面レイアウトなどについて前記通常モードよりも視認性の高い設定を用いる視覚サポートモードのいずれが選択されているかを前記複合機Ｙにおいて後述の制御部２１が判断するためにも用いられる。なお、前記視覚サポートモードでは、文字サイズ及びキーサイズが前記通常モードよりも大きく表示され、文字サイズ及びキーサイズの拡大に伴って文字列及び操作キーが適切に配置されるように予め設定された画面レイアウトが用いられる。
【００１５】
＜複合機Ｙ＞
続いて、図２を参照しつつ、前記複合機Ｙの概略構成について説明する。
図２に示すように、前記複合機Ｙは、制御部２１、操作表示部２２、画像読取部２３（画像読取手段の一例）、画像形成部２４（画像形成手段の一例），データ記憶部２５、及び通信Ｉ／Ｆ２６などを備えている。
前記通信Ｉ／Ｆ２６は、通信モデム及びアンテナなどの通信機器を備えており、前記携帯端末Ｘなどの外部装置との間でＢｌｕｅｔｏｏｔｈ（登録商標）やＩＥＥＥの無線ＬＡＮ規格などで規定された所定の通信プロトコルに従った通信処理を実行するためのインターフェースである。
前記制御部２１は、ＣＰＵ、ＲＯＭ及びＲＡＭなどを有している。前記制御部２１は、前記ＲＯＭに格納された制御プログラムに従った処理を前記ＣＰＵで実行することにより前記複合機Ｙを統括的に制御する。具体的に、前記制御部２１は、前記携帯端末Ｘからの操作を受け付けるための操作制御プログラムが予めインストールされることにより、後述の操作画面表示処理（図４参照）における各処理手順を実行する。なお、前記制御部２１は集積回路（ＡＳＩＣ）などの電子回路で構成されたものであってもよい。
前記操作表示部２２は、前記制御部２１からの制御指示に従って各種の情報を表示すると共に、ユーザー操作に応じた操作信号を前記制御部２１に入力するタッチパネルを有している。
前記画像読取部２３は、ＣＣＤ（撮像手段）及び各種の光学系を備えており、原稿台又はＡＤＦ（自動原稿搬送装置）にセットされた原稿から画像データを読み取る画像読取処理を実行する。
前記画像形成部２４は、感光体ドラム、ＬＳＵ、帯電装置、現像装置、転写装置、定着装置などを備えており、入力される画像データに基づいて画像を印刷する画像形成処理を実行する。
【００１６】
前記データ記憶部２５は、ＨＤＤ又はフラッシュメモリー等の記憶手段であり、前記制御部２１によりデータの読み書きが可能である。前記データ記憶部２５には、前記複合機Ｙを制御するための操作画面を生成するための画面生成情報が予め記憶されている。具体的に、前記画面生成情報には、前記操作画面に表示される表示項目各々を複数種類の言語で表現した複数の表示項目情報と、図３（Ｂ）に示すように前記操作画面を複数種類の表示形式で構成した複数の表示形式情報とが含まれている。ここに、前記表示項目情報及び前記表示形式情報が記憶された前記データ記憶部２５が言語情報記憶手段及び表示形式設定情報記憶手段の一例である。
例えば、図３（Ａ）に示すように、ジョブを開始するための操作キーに表示する文字列は、使用する言語が日本語である場合には「実行」であり、使用する言語が英語である場合には「Ｓｔａｒｔ」である。
また、図３（Ｂ）に示すように、前記表示形式情報において、表示形式が前記通常モードである場合には、文字サイズが「小」、キーサイズが「小」、画面レイアウトが「Ｌ１」に設定されている。一方、表示形式が前記視覚サポートモードである場合には、文字サイズが「大」、キーサイズが「大」、画面レイアウトが「Ｌ２」に設定されている。なお、前記画面レイアウトＬ１は、前記通常モードにおける文字サイズ及びキーサイズなどの設定に適した画面レイアウトとして予め設定されたものであり、前記画面レイアウトＬ２は、前記視覚サポートモードにおける文字サイズ及びキーサイズなどの設定に適した画面レイアウトとして予め設定されたものである。
【００１７】
＜操作画面表示処理＞
そして、前記画像処理システムＺでは、前記携帯端末Ｘ及び前記複合機Ｙにより後述の操作画面表示処理（図４参照）が実行されることにより、ユーザーは前記携帯端末Ｘを用いて前記複合機Ｙの操作を行うことができる。
以下、図４のフローチャートに従って、前記携帯端末Ｘの制御部１１及び前記複合機Ｙの制御部２１で実行される操作画面表示処理の手順の一例について説明する。なお、図示するＳ１１、Ｓ１２、・・・Ｓ１８は前記携帯端末Ｘ側の制御部１１で実行される処理手順（ステップ）番号、Ｓ２１、Ｓ２２、・・・Ｓ２８は前記複合機Ｙ側の制御部２１で実行される処理手順（ステップ）番号を表す。
【００１８】
（ステップＳ１１：携帯端末Ｘ側）
まず、前記携帯端末Ｘでは、前記制御部１１が、ステップＳ１１において、前記複合機Ｙと通信可能な状態であるか否かを判断する。具体的に、前記制御部１１は、前記携帯端末Ｘ及び前記複合機Ｙが無線通信可能な距離まで近接し、前記通信Ｉ／Ｆ１５及び前記通信Ｉ／Ｆ２６の間の無線通信接続が確立した場合に、前記複合機Ｙと通信可能な状態であると判断する。なお、前記携帯端末Ｘでは、前記通信Ｉ／Ｆ１５によりブロードキャストが実行され、現在前記携帯端末Ｘが通信可能な外部装置が検索されており、前記制御部１１は、前記検索結果に応じて前記複合機Ｙと通信可能であるか否かを判断することが可能である。
そして、前記制御部１１は、前記複合機Ｙと通信可能である場合には（Ｓ１１のＹｅｓ側）、処理をステップＳ１２に移行させ、前記複合機Ｙと通信可能でない場合には（Ｓ１１のＮｏ側）、処理を前記ステップＳ１４に移行させる。
【００１９】
（ステップＳ１２：携帯端末Ｘ側）
ステップＳ１２において、前記制御部１１は、前記携帯端末Ｘにおいて任意に行われた表示設定の内容に関する前記表示設定情報を前記通信Ｉ／Ｆ１５によって前記複合機Ｙに送信する。ここに、前記表示設定情報を送信するときの前記制御部１１が表示設定情報送信手段に相当する。なお、前記表示設定情報の送信タイミングは、前記複合機Ｙとの通信が可能になったときに限らない。例えば、後述のステップＳ１４において前記複合機Ｙの操作が開始されると判断されたときに前記表示設定情報が前記複合機Ｙに送信されてもよい。
ここで、前記表示設定情報は、ＸＭＬ（Extensible Markup Language）形式のマークアップ言語で構成されたＸＭＬデータである。もちろん、前記表示設定情報はＨＴＭＬ形式などの他のマークアップ言語又はプログラム言語で記述されたデータであってもよい。ここに、図５は、前記表示設定情報の一例を示す図である。
図５に示す前記表示設定情報では、データＰ１により前記言語設定情報が記述されており、データＰ２により前記表示形式設定情報及び前記ヘルプ設定情報が記述されている。
具体的に、前記データＰ１において「<lang>english</lang>」は、使用する言語が英語である旨を示している。
また、前記データＰ２において、「<zoom>on</zoom>」は、ズーム機能がＯＮであり、表示形式が前記視覚サポートモードである旨を示している。なお、前記データＰ２において、「<zoom>off</zoom>」であれば、ズーム機能がＯＦＦであり、表示形式が前記通常モードである旨を示す。さらに、前記データＰ２において、「<speakSelection>on</speakSelection>」は、選択項目の読み上げがＯＮであり、ヘルプ情報の表示を行う旨を示している。なお、前記データＰ２において、「<speakSelection>off</speakSelection>」であれば、選択項目の読み上げがＯＦＦであり、ヘルプ情報の表示を行わない旨を示す。
また、前記表示設定情報には、前記携帯端末Ｘの前記操作表示部１２の画面サイズを特定するための情報も含まれている。なお、前記操作表示部１２の画面サイズを示すサイズ情報の他、例えば前記携帯端末Ｘの機種を判別するための機種情報が含まれていることも考えられる。これにより、前記複合機Ｙにおいて前記制御部２１は、前記操作表示部１２の画面サイズを前記サイズ情報又は前記機種情報に基づいて前記操作表示部１２の画面サイズを認識することができる。
【００２０】
（ステップＳ１３：携帯端末Ｘ側）
そして、前記制御部１１は、前記複合機Ｙから前記通信Ｉ／Ｆ１５による後述の操作画面情報の受信を待ち受け（Ｓ１３のＮｏ側）、前記通信Ｉ／Ｆ１５により前記操作画面情報が受信されると（Ｓ１３のＹｅｓ側）、処理をステップＳ１４に移行させる。ここに、前記操作画面情報を受信するときの前記制御部１１及び前記通信Ｉ／Ｆ１５が操作画面情報受信手段に相当する。
【００２１】
（ステップＳ２１：複合機Ｙ側）
一方、前記複合機Ｙでは、前記制御部２１が、ステップＳ２１において、前記携帯端末Ｘなどの外部機器から送信された前記表示設定情報の前記通信Ｉ／Ｆ２６による受信を待ち受ける（Ｓ２１のＮｏ側）。そして、前記通信Ｉ／Ｆ２６により前記表示設定情報が受信されると（Ｓ２１のＹｅｓ側）、前記制御部２１は処理をステップＳ２２に移行させる。ここに、前記表示設定情報を受信するときの前記通信Ｉ／Ｆ２６及び前記制御部２１が表示設定情報受信手段に相当する。
【００２２】
（ステップＳ２２：複合機Ｙ側）
ステップＳ２２において、前記制御部２１は、前記表示設定情報に含まれた前記言語設定情報を抽出し、前記携帯端末Ｘにおいて使用する言語として任意に設定された言語を特定する。例えば、図５に示す前記表示設定情報を受信した場合、前記制御部２１は、前記データＰ１に記述された「<lang>english</lang>」に基づいて、使用する言語が英語に設定されている旨を特定する。
【００２３】
（ステップＳ２３：複合機Ｙ側）
ステップＳ２３において、前記制御部２１は、前記表示設定情報に含まれた前記表示形式設定情報を抽出し、前記携帯端末Ｘにおいて使用する言語として任意に設定された表示形式を特定する。例えば、図５に示す前記表示設定情報を受信した場合、前記制御部２１は、前記データＰ２に記述された「<zoom>on</zoom>」に基づいて、ズーム機能がＯＮであり、使用する表示形式として前記視覚サポートモードが選択されている旨を特定する。なお、本実施の形態では、ズーム機能のＯＮ／ＯＦＦに応じて表示形式が通常モード又は視覚サポートモードのいずれであるかを判断する場合を例に挙げて説明するが、他の項目の内容に応じて判断してもよい。もちろん、前記表示形式が通常モード又は視覚サポートモードのいずれであるかを直接的に示す情報が前記表示設定情報に含まれていてもよい。
【００２４】
（ステップＳ２４：複合機Ｙ側）
ステップＳ２４において、前記制御部２１は、前記表示設定情報に含まれた前記ヘルプ設定情報を抽出し、前記携帯端末Ｘにおいて使用する言語として任意に設定された前記ヘルプ情報の表示の有無を特定する。例えば、図５に示す前記表示設定情報を受信した場合、前記制御部２１は、前記データＰ２に記述された「<speakSelection>on</speakSelection>」に基づいて、選択項目の読み上げがＯＮであり、前記ヘルプ情報の表示が「有り」に設定されている旨を特定する。なお、本実施の形態では、選択項目の読み上げのＯＮ／ＯＦＦに応じて前記ヘルプ情報の表示有無を判断する場合を例に挙げて説明するが、他の項目の内容に応じて判断してもよい。もちろん、前記ヘルプ情報の表示有無を直接的に示す情報が前記表示設定情報に含まれていてもよい。
【００２５】
（ステップＳ２５：複合機Ｙ側）
その後、ステップＳ２５において、前記制御部２１は、前記表示設定情報に基づいて特定された言語、表示形式、ヘルプ情報の表示有無などの設定内容に従って、前記複合機Ｙを制御するための操作画面を前記表示設定情報に適合した形態で前記携帯端末Ｘに表示するための操作画面情報を生成する。
例えば、前記表示設定情報に基づいて特定された言語が英語である場合、前記制御部２１は、図３（Ａ）に示す英語に対応する文字列で前記操作画面上の表示項目各々が表示された前記操作画面情報を生成する。
また、前記表示設定情報に基づいて特定された表示形式が通常モードである場合には、前記制御部２１は、図３（Ｂ）に示す表示形式情報に従って、文字サイズ「小」、キーサイズ「小」、画面レイアウト「Ｌ１」の操作画面を生成する。他方、前記表示設定情報に基づいて特定された表示形式が視覚サポートモードである場合には、前記制御部２１は、図３（Ｂ）に示す表示形式情報に従って、文字サイズ「大」、キーサイズ「大」、画面レイアウト「Ｌ２」の操作画面を生成する。
さらに、前記表示設定情報に基づいてヘルプ情報の表示が「有り」である旨が特定された場合、前記制御部２１は、前記操作画面にその操作画面上における操作を補助する前記ヘルプ情報を前記データ記憶部２４から読み出して配置した操作画面を生成する。他方、前記表示設定情報に基づいてヘルプ情報の表示が「無し」である旨が特定された場合、前記制御部２１は、前記操作画面に前記ヘルプ情報を配置しない操作画面を生成する。即ち、前記表示設定情報が前記ヘルプ情報の表示を行う旨を示している場合は、後述のステップＳ２６において前記ヘルプ情報を含む前記操作画面情報が送信され、前記表示設定情報が前記ヘルプ情報の表示を行わない旨を示している場合は後述のステップＳ２６において前記ヘルプ情報を含まない前記操作画面情報が送信される。
なお、各種の前記操作画面ごとにおける操作を補助するための各種の前記ヘルプ情報は、前記データ記憶部２５に予め記憶された前記表示項目情報に含まれている。ここに、前記ヘルプ情報を記憶する前記データ記憶部２５がヘルプ情報記憶手段の一例である。
ところで、前記ステップＳ２５において、前記制御部２１は、前記操作表示部１２の画面サイズを前記表示設定情報に含まれる前記サイズ情報又は前記機種情報に基づいて前記操作表示部１２の画面サイズを認識し、その画面サイズに適合した前記操作画面情報を生成する。例えば、前記画面レイアウト「Ｌ２」に、異なる画面サイズに適合する複数種類の画面レイアウトが含まれており、前記制御部２１が、その画面レイアウトのいずれかを前記携帯端末Ｘの画面サイズに応じて選択することが考えられる。
【００２６】
（ステップＳ２６：複合機Ｙ側）
そして、ステップＳ２６において、前記制御部２１は、前記ステップＳ２５で生成された前記操作画面情報を前記通信Ｉ／Ｆ２６によって前記携帯端末Ｘに送信する。ここに、前記操作画面情報を送信するときの前記制御部２１が操作画面情報送信手段に相当する。ここで、前記操作画面情報は、ＸＭＬ形式のマークアップ言語で構成されたＸＭＬデータである。もちろん、前記操作画面情報はＨＴＭＬ形式などの他のマークアップ言語又はプログラム言語で記述されたデータであってもよい。ここに、図６は、前記操作画面情報の一例を示す図であり、図７は、前記操作画面情報に従って表示される複写処理に関する操作を行うための操作画面の一例を示している。なお、本実施の形態では、前記携帯端末Ｘから前記複合機Ｙに複写処理を実行させるための操作画面を例に挙げて説明するが、プリント処理、ファクシミリ送信処理、スキャン処理などの各種の画像処理を実行させる場合には、その画像処理の内容に応じた操作画面が用いられる。
図６に示す前記操作画面情報では、データＰ３により表示文字列の内容及び配置位置が設定されており、データＰ４により画面レイアウトの内容が設定されており、データＰ５により背景や操作キーに用いる画像に関するグラフィック情報が設定されている。
具体的に、前記データＰ３では、図７に示すように、操作画面における区画Ａ１における領域Ｂ１に「Ｒｅａｄｙ  ｔｏ  Ｃｏｐｙ」の文字列が表示され、同じく区画Ａ１における領域Ｂ２に「Ｓｔａｒｔ」の文字列が表示されることが記述されている。また、前記データＰ３では、図７に示すように、操作画面における区画Ａ２における領域Ｂ１に「Ｃｏｐｉｅｓ」の文字列が表示され、区画Ａ３における領域Ｂ１に「Ｈｅｌｐ：Ｐｌｅａｓｅ  Ｉｎｐｕｔ  Ｎｕｍｂｅｒ  ａｎｄ  Ｐｕｓｈ  ｓｔａｒｔ  Ｋｅｙ」の文字列が表示されることも記述されている。なお、前記操作画面情報には、前記データＰ３に示された文字列の文字サイズ（「大」又は「小」、或いはポイント数など）を定義するための情報も含まれている。
一方、前記データＰ４では、図７に示す前記区画Ａ１、Ａ２、Ａ３各々の範囲、前記区画Ａ１における前記領域Ｂ１、Ｂ２の範囲、前記区画Ａ２における前記領域Ｂ１の範囲、前記区画Ａ３における前記領域Ｂ１の範囲などが記述されている。例えば、前記データＰ４において、前記区画Ａ１の範囲を定義する「<x>0</x><y>0</y><height>10</height><width>100</width>」との記述により、前記区画Ａ１は、ｘ座標が「０」、ｙ座標が「０」の位置から高さ「１０」、幅「１００」の範囲であることが示されている。
また、前記データＰ５では、前記区画Ａ１、Ａ２、Ａ３各々の背景に用いる画像、前記区画Ａ１の領域Ｂ２に表示するスタートキーＣ１の画像、前記区画Ａ２の領域Ｂ１に表示する部数記入欄Ｃ２の画像のそれぞれのファイル名が記述されている。なお、前記画像各々のデータは、前記操作画面情報と共に前記複合機Ｙから前記携帯端末Ｘに送信され、或いは前記携帯端末Ｘに前記複合機Ｙの操作制御プログラムをインストールする際に予め前記携帯端末Ｘのデータ記憶部１４に記憶される。
【００２７】
（ステップＳ１４：携帯端末Ｘ側）
前記ステップＳ２６により前記操作画面情報が前記複合機Ｙから前記携帯端末Ｘに送信されると、前記制御部１１は、前記ステップＳ１３において、前記操作画面情報が受信されたと判断し（Ｓ１３のＹｅｓ側）、処理をステップＳ１４に移行させる。
そして、前記制御部１１は、ステップＳ１４において、前記複合機Ｙの操作を開始するための操作入力を待ち受ける（Ｓ１４のＮｏ側）。具体的に、前記制御部１１は、前記操作表示部１２に対して前記複合機Ｙを操作対象として選択するための操作が行われたか否かを判断する。例えば、前記制御部１１は、印刷又はファクシミリ送信に用いる装置として前記複合機Ｙが選択された場合に、前記複合機Ｙの操作を開始するための操作入力がなされたと判断する。そして、前記複合機Ｙの操作を開始するための操作入力が行われると（Ｓ１４のＹｅｓ側）、処理はステップＳ１５に移行する。
【００２８】
（ステップＳ１５：携帯端末Ｘ側）
ステップＳ１５において、前記制御部１１は、前記複合機Ｙから受信した前記操作画面情報に従って、前記複合機Ｙを制御するための操作画面を生成して前記操作表示部１２に表示させる。ここに、係る表示処理を実行するときの前記制御部１１が操作画面表示手段に相当する。
具体的に、図６に示した前記操作画面情報を受信した場合、前記制御部１１は、前記操作表示部１２に図７に示す操作画面を生成する。例えば、図７に示す前記操作画面では、文字列が英語で表現されており、文字サイズ及びキーサイズが前記通常モードよりも大きく表示されている。さらに、図７に示す前記操作画面では、前記操作画面における操作を補助するために予め設定された前記ヘルプ情報が前記区画Ａ３の領域Ｂ１に表示されている。
このようにして前記操作表示部１２に表示される前記操作画面は、前記携帯端末Ｘにおいてユーザーによって予め任意に設定された表示設定に適合するものである。従って、ユーザーは、前記携帯端末Ｘにおける通常の操作画面の設定と同様に自己にとって見やすい形態で表示された前記複合機Ｙの操作画面を用いて前記複合機Ｙを操作することができる。
【００２９】
（ステップＳ１６：携帯端末Ｘ側）
その後、前記ステップＳ１６において、前記制御部１１は、前記操作画面に表示された操作キーの操作が行われたか否かを判断する。そして、前記制御部１１は、前記操作キーの操作が行われたと判断すると（Ｓ１６のＹｅｓ側）、処理をステップＳ１７に移行させ、前記操作キーの操作が行われていないと判断すると（Ｓ１６のＮｏ側）、処理をステップＳ１８に移行させる。例えば、前記制御部１１は、図７に示す操作画面において前記スタートキーＣ１がタッチ操作された場合に、処理をステップＳ１７に移行させる。
【００３０】
（ステップＳ１７：携帯端末Ｘ側）
ステップＳ１７において、前記制御部１１は、前記ステップＳ１６で操作されたと判断された操作キーに対応する操作情報を前記複合機Ｙに送信する。例えば、前記スタートキーＣ１が操作された場合には、前記スタートキーＣ１に対応する操作情報が前記複合機Ｙに送信される。具体的に、図８（Ａ）に示すように、前記操作画面において前記区画Ａ２の領域Ｂ１に表示された前記部数入力欄Ｃ２において複写部数が「１０」に設定され、前記スタートキーＣ１が操作された場合を考える。この場合、前記制御部１１は、前記スタートキーＣ１に対応する操作情報として、図８（Ｂ）に示すように前記区画Ａ１の領域Ｂ２が操作された旨、及び複写部数が「１０」である旨がＸＭＬ形式で記述されたＸＭＬデータで示された操作情報Ｐ６を送信する。
【００３１】
（ステップＳ１８：携帯端末Ｘ側）
なお、ステップＳ１８において、前記制御部１１は、前記操作表示部１２に対して前記携帯端末Ｘにおける前記複合機Ｙの操作を終了する旨の操作入力が行われるまでの間は（Ｓ１８のＮｏ側）、処理をステップＳ１５に移行させる。一方、前記複合機Ｙの操作を終了する旨の操作入力が行われると（Ｓ１８のＹｅｓ側）、前記制御部１１は処理を前記ステップＳ１１に戻す。
【００３２】
（ステップＳ２７：複合機Ｙ側）
そして、前記複合機Ｙでは、前記制御部２１がステップＳ２７において、前記携帯端末Ｘからの前記操作情報の受信を待ち受けている（Ｓ２７のＮｏ側）。ここで、前記操作情報を受信したと判断すると、前記制御部２１は処理をステップＳ２８に移行させる。
なお、当該操作画面表示処理において、前記制御部２１は、前記ステップＳ２１で前記携帯端末Ｘから前記表示設定情報を受信した後、前記携帯端末Ｘとの通信接続が遮断されるまでの間、排他処理を実行することにより他の外部端末からのジョブを拒否することが考えられる。また、前記排他処理の実行期間はこれに限らず、例えば前記携帯端末Ｘにおける前記複合機Ｙの操作開始時（Ｓ１４のＹｅｓ側）に前記携帯端末Ｘからの操作開始通知を受信してから、前記携帯端末Ｘにおける前記複合機Ｙの操作終了時（Ｓ１８のＹｅｓ側）に前記携帯端末Ｘからの操作終了通知を受信するまでの間、前記排他処理を実行することも考えられる。
【００３３】
（ステップＳ２８：複合機Ｙ側）
ステップＳ２８では、前記制御部２１が、前記操作情報に対応する処理を実行する。具体的に、図８（Ｂ）に示した前記操作情報Ｐ６を受信した場合、前記制御部２１は、前記複合機Ｙにおいて、前記画像読取部２３及び前記画像形成部２４を制御することにより原稿を１０部複写するための複写処理を実行する。
なお、前記ステップＳ２８において、前記制御部２１は、複写処理に限らず、前記携帯端末Ｘから受信する前記操作情報の内容に応じて、プリント処理、ファクシミリ送信処理、スキャン処理などの各種の画像処理を実行する。例えば、前記携帯端末Ｘにおいて前記カメラ１３で撮影された写真データが前記複合機Ｙに送信されることにより、前記複合機Ｙにおいて前記制御部２１は前記写真データのプリント処理又はファクシミリ送信処理などを実行する。また、前記制御部２１は、前記携帯端末Ｘからスキャン処理の実行要求が行われた場合、前記複合機Ｙにおいて読み取った画像データを前記携帯端末Ｘに送信する。
【００３４】
以上説明したように、前記画像処理システムＺにおいて、ユーザーは自己が前記携帯端末Ｘで予め任意に行った表示設定に適合した形態で前記携帯端末Ｘに表示される前記複合機Ｙの操作画面を用いて前記携帯端末Ｘから前記複合機Ｙの動作を制御することができる。
【符号の説明】
【００３５】
１１：制御部
１２：操作表示部
１３：カメラ
１４：データ記憶部
１５：通信Ｉ／Ｆ
２１：制御部
２２：操作表示部
２３：画像読取部
２４：画像形成部
２５：データ記憶部
２６：通信Ｉ／Ｆ
Ｓ１１、Ｓ１２、・・・：処理手順（ステップ）番号
Ｓ２１、Ｓ２２、・・・：処理手順（ステップ）番号
Ｘ  ：携帯端末
Ｙ  ：複合機（画像処理装置の一例）
Ｚ  ：画像処理システム
【図１】
0005783954.tif 000002
【図２】
0005783954.tif 000003
【図３】
0005783954.tif 000004
【図４】
0005783954.tif 000005
【図５】
0005783954.tif 000006
【図６】
0005783954.tif 000007
【図７】
0005783954.tif 000008
【図８】
0005783954.tif 000009